(57)【要約】  本発明はキューブコーナー型再帰反射原理を利用した再帰反射体で光透過率がすぐれるように透明で表面が滑らかな軟質の透明な熱可塑性シートを反射表面で形成されて、織物を内部に含むボディーレヤーと、上記透明な熱可塑性シートと織物が合紙されたボディーレヤーの一側に再帰反射機能を持つキューブコーナー型マイクロプリズムレヤーで構成されることである。上記のように構成された本発明によれば、熱可塑性高分子(PVC、TPU、PO、ACRYL など)シートに高い引張強度を持つ織物を挿入した構造を持つ再帰反射シートに関することで高い引張力を要求する用途に適する再帰反射シートを提供する。
2010539536.tif 000002
【特許請求の範囲】
【請求項１】
キューブコーナー型再帰反射シートにおいて、
光透過率を向上させるために透明で表面が滑らかな軟質の透明な熱可塑性シートを反射表面で形成しながら、織物（１２０）を内部に含むボディーレヤー（１３０）と、
上記透明な熱可塑性シート（１０２）と織物（１２０）が合紙されたボディーレヤー（１３０）の一側に再帰反射機能を持つキューブコーナー型マイクロプリズムレヤー（１４０）が構成されることを特徴とする引張強度が向上したキューブコーナー型再帰反射シート。
【請求項２】
上記ボディーレヤー（１３０）の内部に経糸（１２２）と緯糸（１２４）方向の格子型に織造された織物（１２０）が中間に内在していることを特徴とする請求項１に記載の引張強度が向上したキューブコーナー型再帰反射シート。
【発明の詳細な説明】
【技術分野】
【０００１】
本発明は引張強度が向上したキューブコーナー型再帰反射シートに関し、さらに詳しくは、透明な熱可塑性高分子(PVC、TPU、PO、PC、ACRYL など) シートに高い引張強度を持つ織物を挿入した構造を持つ再帰反射シートに関することで高い引張力を要求する用途に適する再帰反射シートに関する。
【背景技術】
【０００２】
一般に、従来の再帰反射製品１０の場合、透明な熱可塑性高分子シートを活用して熱可塑性高分子シートに熱と圧力を加えてキューブコーナー形象を成形させるとか、軟質の高分子シートの片面に熱硬化性樹脂を活用してキューブコーナー形象を成形する二重物質で構成された再帰反射製品が主流をなしている。
【０００３】
このような製造された再帰反射製品１０のシートに入射される入射光１１は透明な高分子層を通った後、キューブコーナー型再帰反射素子の内部面で全反射して入射光１１と平行する方向で戻って行く反射光１２を持つ光学的な特性(再帰反射機能)を有する。
【０００４】
このような技術で製作された再帰反射製品１０の場合、交通表示板や安全のための服または工事施設物などに多様な加工をした後使われられている。しかしここに基本的に適用される大部分の熱可塑性高分子透明シートは特性上低い引張強度のため広告用で使われるフレックスのような高い引張強度(１０kg/cm以上)を要する用途(例えば、看板用、バナー広告用、包装用)には易しく破裂して使用が適しない。
【０００５】
そのため、大部分の被着物に粘着剤や接着剤を使用して貼り付けるとか裁縫によって付けて使う場合が多い。
【０００６】
そして、現在大部分の看板や広告物に適用されるフレックス(白色熱可塑性シートの中間に織物を合紙したシート)の場合、外部から照明を受けたり、裏に照明装置を附着すればこそ夜間に目立つようにできる。従って電気が供給されないとか別途の照明装置のない場合、使用者が知らせたがる情報を充分に提供することができない短所を有している。
【発明の概要】
【発明が解決しようとする課題】
【０００７】
本発明はこのような問題点を鑑みて提出されたもので、引張強度が向上したキューブコーナー型再帰反射シートに関し、さらに詳しくは光源で入って行った入射光とキューブコーナーを通じて反射して出る反射光がお互いに平行する性質を持つ再帰反射效果を持つキューブコーナー型シートを製作するのにあって、透明な熱可塑性シートに高い引張力を持つ織物(例:ポリエステル、ナイロンなど)を挿入させて全体的に再帰反射效果と共に高い引張力を持つことによって従来の再帰反射シートを適用しにくかった分野に適用を拡大することができる引張力を向上したキューブコーナー型再帰反射シートを提供することを目的とする。
【課題を解決するための手段】
【０００８】
本発明は上記目的を達するために、光透過率がすぐれるように透明で表面が滑らかな軟質の透明な熱可塑性シートを反射表面で形成されて、織物を内部に含むボディーレヤーと、上記透明な熱可塑性シートと織物が合紙されたボディーレヤーの一側に再帰反射機能を持つキューブコーナー型マイクロプリズムレヤーで構成される。
【０００９】
ここで、上記ボディーレヤーの内部に含まれた織物は高い引張力を持つ経糸と緯糸方向の格子型に織造された織物が中間に内在しているのである。
【００１０】
この時、上記ボディーレヤーの内部に含まれた織物の原糸はポリエステルやナイロンで構成されるのである。
【００１１】
そして、再帰反射機能を持つキューブコーナー型マイクロプリズムレヤーは上記透明な熱可塑性シートで構成された内側面と熱可塑性シートに直接キューブコーナー型マイクロプリズムを成形したり熱硬化性素材を使用して別途のキューブコーナー型マイクロプリズムを熱可塑性面に積層させる構造である。
【００１２】
この時、上記透明な熱可塑性シート(１０２)は PVC(Poly Vinyl Chloride) または TPU(Thermoplastic PolyUrethane) または PO(Poly Olefin)、ACRYLでそれぞれ構成することができる。
【００１３】
一方、キューブコーナー型再帰反射シートにおいて、光透過率がすぐれるように透明で表面が滑らかな軟質の透明な熱可塑性シートを反射表面で形成されて、引張強度及び破裂強度がすぐれた織物を内部に含むボディーレヤーと、上記透明な熱可塑性シートと織物が合紙されたボディーレヤーの一側に再帰反射機能を持つキューブコーナー型マイクロプリズムレヤーを含んで、上記再帰反射が成り立つ表面に油性及び水性印刷インキを使用するデジタルインクジェットプリンターによる印刷性を向上させるコーティング面で構成されることを特徴とする引張強度が向上したキューブコーナー型再帰反射シートを提供する。
【発明の効果】
【００１４】
本発明によれば、再帰反射面積を最大限に確保して再帰反射效果を最大化しながら引張強度及び破裂強度を持つキューブコーナー型の再帰反射シートで、別途の照明装置がなしも夜間に車の明りによる再帰反射效果によって運転手や歩行者に広告及び情報または施設物の位置などを知らせることができる效果を奏する。
【００１５】
また、照明装置とともに使って照明装置と再帰反射效果を同時に成して情報伝達の效果を極大化することができるだけでなく、非常時、すなわち照明が效果的に作動しない時にも再帰反射性能は保持される效果を奏する。
【図面の簡単な説明】
【００１６】
【図１】従来のキューブコーナー型再帰反射製品の図面 。
【図２】本発明のキューブコーナー型再帰反射シートの平面図。
【図３】本発明のキューブコーナー型再帰反射シートの側断面図。
【図４】本発明のキューブコーナー型再帰反射シートの他の実施形態の図面。
【発明を実施するための形態】
【００１７】
以下、本発明の好ましい実施形態を添付された図面を参照して具体的に説明する。
【００１８】
図２は本発明のキューブコーナー型再帰反射シートの平面図で、図３は本発明のキューブコーナー型再帰反射シートの側断面図である。
【００１９】
再帰反射シート１００は透明な高分子シートを活用して、高分子シートに熱と圧力を加えてキューブコーナー形象を成形させるとか、軟質の熱可塑性高分子シートに熱硬化性樹脂を活用してキューブコーナー形象を成形する二重物質で構成される。
【００２０】
このように、製造された再帰反射シート１００で反射表面１１０に入射される入射光１１は透明な高分子層を通った後、キューブコーナー型再帰反射素子の内部面で全反射して入射光１１と平行する方向で戻って行く反射光１２を持つ光学的な特性(再帰反射機能)を有する。
【００２１】
また、上記キューブコーナー型再帰反射素子の製造はボディーレヤー１３０の下側面に所定の厚さの熱可塑性樹脂を積層した後、積層された上記熱可塑性樹脂に上記ボディーレヤー１３０に附着した底面(以下、'再帰反射面'といい)を除いた三つの面が合同関係にある三角錐形象の多数のキューブコーナー型再帰反射体を形成する。
【００２２】
このような、キューブコーナー型再帰反射シート１００に本発明の引張強度が向上したキューブコーナー型再帰反射シート１００は光透過率がすぐれるように透明で表面が滑らかな軟質の透明な熱可塑性シート１０２を反射表面１１０で形成されて、引張強度及び破裂強度がすぐれた織物１２０を内部に含むボディーレヤー１３０に上記透明な熱可塑性シート１０２と織物１２０が合紙されたボディーレヤー１３０の一側に再帰反射機能を持つキューブコーナー型マイクロプリズムレヤー１４０が構成される。
【００２３】
この時、上記キューブコーナー型再帰反射シート１００に光透過の時一方向は勿論、他方向で観測範囲が広く形成される。
【００２４】
また、上記ボディーレヤー１３０の内部に含まれた織物１２０は経糸１２２と緯糸１２４方向の格子型に織造された織物１２０が中間に内在する。
【００２５】
ここで、上記ボディーレヤー１３０の内部でお互いに格子型に織造される経糸１２２と緯糸１２４の密着部分に薄い糸のグラウンド糸１２６で縛って経糸１２２と緯糸１２４を固定する。
【００２６】
このように、上記ボディーレヤー１３０の内部に含まれた織物１２０の原糸はポリエステルまたはナイロンで構成される。
【００２７】
すなわち、キューブコーナー型再帰反射シート１００に透明な熱可塑性高分子(PVC、TPU、ACRYL など)シートに高い引張強度を持つ織物を挿入した構造である。
【００２８】
次に、再帰反射機能を持つキューブコーナー型マイクロプリズムレヤー１４０は上記透明な熱可塑性シート１０２で構成された内側面と熱可塑性シート１０２に直接キューブコーナー型マイクロプリズムを成形したり熱硬化性素材を利用して別途のキューブコーナー型マイクロプリズムを熱可塑性面に積層させる構造である。
【００２９】
この時、上記の透明な熱可塑性シート１０２は PVC(Poly Vinyl Chloride) またはTPU(Thermoplastic PolyUrethane) または PO(Poly Olefin)、ACRYLでそれぞれ構成することができる。
【００３０】
一方、本発明の引張強度が向上したキューブコーナー型再帰反射シート１００の他の実施形態で図４に示すように、光透過率がすぐれるように透明で表面が滑らかな軟質の透明な熱可塑性シート１０２を反射表面１１０で形成されて、引張強度及び破裂強度がすぐれた織物１２０を内部に含むボディーレヤー１３０と、上記透明な熱可塑性シート１０２と織物が合紙されたボディーレヤー１３０の一側に再帰反射機能を持つキューブコーナー型マイクロプリズムレヤー１４０を含んで、上記再帰反射が成り立つ表面に油性及び水性印刷インキを使用するデジタルインクジェットプリンターによる印刷性を向上させるコーティング面１５０で構成することができる。
【００３１】
上述したところのように、本発明の引張強度が向上したキューブコーナー型再帰反射シート１００は、フレックス素材に適用される構造のシートを光が透過される透明な高分子材質で作って一方面に再帰反射效果を誘導するためのキューブコーナー形象を微細に成形して、他の面には表面が滑らかになるように加工することによって高い引張強度(１０kg/cm以上  /CUT STRIP METHOD FS #１９１  ５１０２)を有してまた高い破裂強度(５kg /TRAPEZOID 方式 FS #１９１ ５１３６)を有する再帰反射シート１００に製造される。
【００３２】
このように、本発明の引張強度が向上したキューブコーナー型再帰反射シート１００を利用して製作された原緞は衣服、かばん、履き物、帽子、各種カバーなど多様に応用することができるところ、その活用範囲が非常に広いとする。
【００３３】
以上で本発明の実施形態に対して詳細に説明したが本発明の権利範囲はこれに限定されるのではなくて次の請求範囲で定義している本発明の基本概念を利用した当業者の多くの変形及び改良形態も本発明の権利範囲に属するのである。
【符号の説明】
【００３４】
１００： 再帰反射シート
１０２： 熱可塑性シート
１１０： 反射表面 
１２０： 織物 
１２２： 経糸 
１２４： 緯糸 
１２６： グラウンド糸 
１３０： ボディーレヤー 
１４０：マイクロプリズムレヤー 
１５０： コーティング面 
【図１（ａ）】
2010539536.tif 000003
【図１（ｂ）】
2010539536.tif 000004
【図２】
2010539536.tif 000005
【図３】
2010539536.tif 000006
【図４】
2010539536.tif 000007
【国際調査報告】
2010539536.tif 000008
2010539536.tif 000009